(57)【要約】【課題】使用者がネットワークシステムを介して遠隔の一組または複数組のエアコンディション設備に対してネットワーク化したリアルタイムモニター管理作業を行うことが可能なネットワーク式遠隔エアコンディション設備モニター管理システムを提供する。【解決手段】このネットワーク式遠隔エアコンディション設備モニター管理システムは、被制御エアコンディション設備に対してネットワーク化したリアルタイムモニター管理機能、エネルギーおよび作動コストの節約のために被制御エアコンディション設備に対しての効率的な電力消費量の管理、およびエアコンディション設備の有用性を維持するためにリアルタイムの異常警告機能を提供することを特徴とする。【選択図】図１
2009014333.tif 000002
【特許請求の範囲】
【請求項１】
遠隔の少なくとも一組のエアコンディション設備に対して、ネットワーク化した遠隔モニター管理作業を提供するネットワーク式遠隔エアコンディション設備モニター管理システムにおいて、
ネットワークシステムのサーバーに統合され、ネットワークワークステーションが前記ネットワークシステムを介して制御するサーボ側ユニットを少なくともを備え、
前記サーボ側ユニットは、
前記サーバーにオンラインされたネットワークワークステーションに対して制御インタフェースと、各被制御エアコンディション設備の操作状態および関係データを表示する被制御設備操作状態表示機能と、一組の使用者が選択するエアコンディション設備制御命令セットを提供するとともに、使用者によって選択された制御コマンドを前記ネットワークシステムを介して伝送するコマンド設定機能と、を提供する制御インタフェースモジュールと、
前記エアコンディション設備の操作特性値および関係データを蓄積するとともに、前記制御インタフェースモジュールを介して、前記ネットワークワークステーションにこれらの操作特性値および関係データを表示するモニターデータ蓄積モジュールと、
前記の各被制御エアコンディション設備に統合され、前記ネットワークシステムにリンクされた設備側ユニットと、を少なくとも備える構成であって、前記設備側ユニットは、
前記ネットワークシステムにリンクするネットワークリンクモジュールと、
前記ネットワークリンクモジュールにリンクし、前記エアコンディション設備側において各被制御エアコンディション設備と前記サーボ側ユニットとの間に双方向データ転送機能を提供する設備側サーボモジュールと、
各被制御エアコンディション設備が実際に作動している時の操作状態をモニターするとともに、モニターされた各操作特性値を前記設備側サーボモジュールに伝送することにより、前記設備側サーボモジュールが前記ネットワークシステムを介して前記サーボ側ユニットに伝送する操作状態モニター装置と、前記設備側サーボモジュールによって転送されてきた前記サーボ側ユニットが前記ネットワークシステムを介して伝送してきた各制御コマンドに基づいて、前記被制御エアコンディション設備を制御することにより所要の操作状態を実現させる操作状態制御器と、を含む操作状態モニターモジュールと、
を少なくとも備えて構成されることを特徴とするネットワーク式遠隔エアコンディション設備モニター管理システム。
【請求項２】
前記ネットワークシステムの種類が、インターネット、組織内ネットワークシステム、組織間ネットワークシステム、有線ＬＡＮシステム、無線ＬＡＮシステム、およびバーチャルプライベートネットワークシステムを含むことを特徴とする請求項１に記載のネットワーク式遠隔エアコンディション設備モニター管理システム。
【請求項３】
前記設備側ユニットにおける設備側サーボモジュールが、前記操作状態モニター装置によってモニターされた操作特性値が異常を示した場合、警告メッセージを応答的に前記ネットワークワークステーションに発する異常状況警告手段をさらに備えていることを特徴とする請求項１に記載のネットワーク式遠隔エアコンディション設備モニター管理システム。
【請求項４】
前記サーボ側ユニットが、所定の期間内に前記各被制御エアコンディション設備の操作特性値を統計して、電子式の電力使用状況分析リストを作成する定期性操作特性統計分析モジュールをさらに備えていることを特徴とする請求項１に記載のネットワーク式遠隔エアコンディション設備モニター管理システム。
【請求項５】
前記ネットワークリンクモジュールが前記ネットワークシステムにリンクされる方式が、ＡＤＳＬ（Ａｓｙｍｍｅｔｒｉｃ  Ｄｉｇｉｔａｌ  Ｓｕｂｓｃｒｉｂｅｒ  Ｌｉｎｅ）ネットワークリンク構造を採用することを特徴とする請求項１に記載のネットワーク式遠隔エアコンディション設備モニター管理システム。
【請求項６】
前記ネットワークリンクモジュールが前記ネットワークシステムにリンクされる方式が、ＦＴＴＢ（Ｆｉｂｅｒ  Ｔｏ  Ｔｈｅ  Ｂｕｉｌｄｉｎｇ）ネットワークリンク構造を採用することを特徴とする請求項１に記載のネットワーク式遠隔エアコンディション設備モニター管理システム。
【請求項７】
前記ネットワークリンクモジュールが前記ネットワークシステムにリンクされる方式が、無線式のネットワークリンク構造を採用することを特徴とする請求項１に記載のネットワーク式遠隔エアコンディション設備モニター管理システム。
【請求項８】
前記モニターデータ蓄積モジュールが、前記各被制御エアコンディション設備に係る規格および管理データを蓄積することを特徴とする請求項１に記載のネットワーク式遠隔エアコンディション設備モニター管理システム。
【請求項９】
前記操作状態モニターモジュールにおける操作状態モニター装置が、
前記エアコンディション設備の電源オンオフ状態をモニターするオンオフモニター手段と、
前記エアコンディション設備の負荷電圧、負荷電流および消費電力をモニターする電力使用量モニター手段と、
前記エアコンディション設備の所在箇所の温度を検知する温度検知手段と、
前記エアコンディション設備の所在箇所の湿度を検知する湿度検知手段と、
前記エアコンディション設備の所在箇所の二酸化炭素濃度を検知する二酸化炭素濃度検知手段と、
を備えていることを特徴とする請求項１に記載のネットワーク式遠隔エアコンディション設備モニター管理システム。
【請求項１０】
前記モニターデータ蓄積モジュールが、各被制御エアコンディション設備に係る規格および管理データを蓄積することを特徴とする請求項１に記載のネットワーク式遠隔エアコンディション設備モニター管理システム。
【請求項１１】
前記制御インタフェースモジュールが、
各被制御エアコンディション設備に対して始動時間帯を予め設定することにより、前記エアコンディション設備がこの始動の時間帯にならないと始動しないようにするエアコンディション設備始動スケジュール機能をさらに備えていることを特徴とする請求項１に記載のネットワーク式遠隔エアコンディション設備モニター管理システム。
【請求項１２】
前記制御インタフェースモジュールが、システムの安全管理を行い、前記ネットワークワークステーションの使用者が、前記制御インタフェースモジュールによって提供された制御インタフェースに入る権限を持っているかどうかを確認し、使用者が授権認証にパスしたら、前記制御インタフェースモジュールが前記ネットワークワークステーションに前記制御インタフェースを提供し、使用者が授権認証にパスしなかったら、前記制御インタフェースモジュールが前記ネットワークワークステーションに前記制御インタフェースを提供することを禁止するようにする使用者身分認証モジュールをさらに備えていることを特徴とする請求項１に記載のネットワーク式遠隔エアコンディション設備モニター管理システム。
【発明の詳細な説明】
【技術分野】
【０００１】
本発明は、コンピュータネットワーク技術に関し、より詳しくは、ネットワークシステムを介して遠隔の一組または複数組のエアコンディション設備に対してネットワーク化したリアルタイムモニター管理作業を行うことが可能なネットワーク式遠隔エアコンディション設備モニター管理システムに関するものである。
【背景技術】
【０００２】
エアコンディション（エアコンか空調も言う）設備は、各種の建築物の内部、特に大型の営業場所（例えばビジネス・ビルディング、工場ビルディング、ホテル、病院、コンビニ、スーパーマーケット、量販店、デパート、映画館）に広汎に応用され取り付けられている電機設備である。現在の空調設備には、通常、冷暖房エアコン、エア・ハンドリング・ユニット（Ａｉｒ  Ｈａｎｄｌｉｎｇ  Ｕｎｉｔ，ＡＨＵ）、プレクーリング・エア・ハンドラー（Ｐｒｅｃｏｏｌｉｎｇ  Ａｉｒ  Ｈａｎｄｌｅｒ，ＰＡＨ）、送風機（Ｆａｎ  Ｃｏｉｌ  Ｕｎｉｔ，ＦＣＵ）がある。基本的に、空調設備の機能は、密閉された室内空間の空気を快適な温度値に調整し、空気を持続的に循環流通させることで、室内に過多の二酸化炭素が沈積し室内にいる人の気分が悪くなるということがないようにすることにある。
【０００３】
エアコン設備の作動および管理において、設備管理者は通常、実際の作動を必要とする場合、作動中のエアコン設備に対し各種のモニター管理作業を行う。例えば、管理者は室内の温度、湿度、二酸化炭素濃度が所定の範囲内にあるかどうかを常時モニターする必要がある。さらに、エアコン設備が実際に作動している時、管理者はその作動状態が正常であるかどうかもモニターする必要がある。異常が発生した場合、管理者は保守作業を直ちに行う必要がある。また、長期的な運営において、管理者は管理制御にかかる運営コストの参考にするために、エアコン設備の電力消費量を把握しておく必要がある。
【０００４】
従来、上述のモニター管理作業としては、通常、管理者が目視によりエアコンディション設備が正常に作動しているかどうかを検査するとともに、目視により各種の電子機器を検視し、手書きでの書面方式によりエアコンディション設備の電力使用状況（負荷電圧、負荷電流および消費電力）を記録することなどがなされていた。エアコンディション設備全体の長期的な作動効果（即ち電力消費量）を分析する必要がある場合には、管理者はこれらの書面記録データを利用して統計分析を行っていた。
【０００５】
上述のエアコン設備の作動管理方法における不便を解決するために、従来よりローカル側（Ｌｏｃａｌ）を利用したデータ処理設備モニターまたはエアコン設備を管理する技術があった。具体的に言えば、あるビジネス・ビルディングのエアコン設備の作動制御またはモニターは、ローカル区域のネットワークにおけるモニタープラットフォームを利用して近端のモニターを行う。このような近端モニター方式は、人工的モニター管理による不便および効率の低下が生じたことを部分的に解決することができるものの、モニター空間において限界があるなどといった重大な欠点があった。また、その他のエアコン設備管理システムおよび情報との統合に欠けているため、エアコン設備管理の効率を向上させることができなかった。
【０００６】
このような人工的または書面方式によるエアコンディション設備モニター管理作業を具体的に実施すると、非常に手間がかかり、効率が悪いという欠点がある。また、エアコンディション設備に異常が発生した場合、管理者は通常、発生直後すぐ知ることができないため、保守作業も遅延してしまう。
【発明の開示】
【発明が解決しようとする課題】
【０００７】
そこで、以上のとおりの事情に鑑み、本発明は、ネットワークを介して遠隔のエアコンディション設備に対してネットワーク化したリアルタイムモニター管理作業を行うことができるネットワーク式遠隔エアコンディション設備モニター管理システムを提供することを第１の目的とする。
【０００８】
また、本発明は、保守作業が直ちに行われるように、被制御エアコンディション設備の異常を即時に通報することが可能なネットワーク式遠隔エアコンディション設備モニター管理システムを提供することを第２の目的とする。
【課題を解決するための手段】
【０００９】
上記の課題を解決するために、本発明に係るネットワーク式遠隔エアコンディション設備モニター管理システムは、分散型の構造に構築され、少なくとも（Ａ）サーボ側ユニット、および（Ｂ）設備側ユニットを備え、該サーボ側ユニットはサーバーに統合される。このサーバーはネットワークシステムにリンクされ、ネットワークワークステーションに該ネットワークシステムを介して該サーボ側ユニットを制御させる。該サーボ側ユニットは、少なくとも（Ａ１）制御インタフェースモジュール、および（Ａ２）それぞれの被制御エアコンディション設備に関する規格および管理データを蓄積するためのモニターデータ蓄積モジュールを備え、さらに、（Ａ３）定期性操作特性統計分析モジュールを選択的に備えてよい。該設備側ユニットは、被制御エアコンディション設備に統合され、該ネットワークシステムにリンクされる。この構造は、少なくとも（Ｂ０）ネットワークリンクモジュール、（Ｂ１）設備側サーボモジュール、および（Ｂ２）操作状態モニター装置と操作状態制御器を有する操作状態モニターモジュールを備え、操作状態モニター装置は、該エアコンディション設備の電源オンオフ状態をモニターするオンオフモニター手段と、該エアコンディション設備の負荷電圧、負荷電流、消費電力をモニターするための電力使用量モニター手段と、エアコン設備の所在箇所の温度を検知する温度検知手段と、エアコン設備の所在箇所の湿度を検知する湿度検知手段と、エアコン設備の所在箇所の二酸化炭素濃度を検知する二酸化炭素濃度検知手段と、を備えている。
【００１０】
また、本発明の他の局面において、サーボ側ユニットにおける制御インタフェースモジュールは、各々の被制御されたエアコン設備に対して始動時間帯を予め設定することにより、エアコン設備がこの始動時間帯に始動しないようにするエアコン設備始動スケジュール機能をさらに備えている。
【００１１】
さらに、本発明のまた他の局面において、該サーボ側ユニットにおける制御インタフェースモジュールは、システムの安全管理のために、使用者が制御インタフェースモジュールによって提供された制御インタフェースに入る権限を持っているかどうかを確認する使用者身分認証モジュールをさらに備えている。
【００１２】
さらに、本発明のまた他の局面において、該設備側ユニットにおける設備側サーボモジュールは、該操作状態モニター装置によってモニターされた操作特性値が異常状況を示した場合にと反応し、警告メッセージを応答的に発し該ネットワークワークステーションに通報する異常状況警告手段をさらに備えている。
【００１３】
本発明に係るネットワークシステムには、インターネット（ｉｎｔｅｒｎｅｔ）、組織内ネットワークシステム（ｉｎｔｒａｎｅｔ）、組織間ネットワークシステム（ｅｘｔｒａｎｅｔ）、有線ＬＡＮ（Ｌｏｃａｌ  Ａｒｅａ  Ｎｅｔｗｏｒｋ、ローカル・エリア・ネットワーク）システム、無線ＬＡＮシステム、およびバーチャルプライベートネットワーク（Ｖｉｒｔｕａｌ  Ｐｒｉｖａｔｅ  Ｎｅｔｗｏｒｋ，  ＶＰＮ）システムがある。
【００１４】
本発明に係るネットワークリンクモジュールが該ネットワークシステムにリンクされる方式としては、有線ＡＤＳＬ（Ａｓｙｍｍｅｔｒｉｃ  Ｄｉｇｉｔａｌ  Ｓｕｂｓｃｒｉｂｅｒ  Ｌｉｎｅ、非対称デジタル加入者線）またはＦＴＴＢ（Ｆｉｂｅｒ  Ｔｏ  Ｔｈｅ  Ｂｕｉｌｄｉｎｇ、光ファイバーを企業などのビルまで引くことを指す）のネットワークリンク構造、または無線型（ｗｉｒｅｌｅｓｓ）といったネットワークリンク構造を採用することができる。
【００１５】
従来の技術と比較して、本発明に係るネットワーク式遠隔エアコンディション設備モニター管理システムには、少なくとも下記の利点がある。（１）被制御エアコンディション設備に対してネットワーク化したリアルタイムモニター管理機能を提供できるとともに、視覚化した使用者制御インタフェースを介して、多数が異なるユーザで構成される管理者各々が、遠隔においてネットワークワークステーションからエアコンディション設備のそれぞれの作動状況をリアルタイムに把握し、必要とする作動状態を設定し、作動効果を調整することにより、効率の悪い作動を減らし、最適な作動効能モードを確立することを可能にする。（２）被制御エアコンディション設備に対して効率的な電力消費の管理を提供することにより、エネルギーおよび作動コストの節約が図れる。（３）設備の利用率を維持するために、リアルタイムの異常警告を提供する。これにより、管理者は異常が発生したエアコンディション設備に対して、保守作業を即行うことができる。（４）使用者身分認証手段を介して、権利を授与された使用者に限り遠隔のモニター管理を行うことができ、集中管理という目的をこれで達成できる。（５）モニターデータ蓄積モジュールに蓄積されたエアコンディション設備操作特性および作動状態の過去のデータを異なる使用者の類型（例えばビジネスビルディング、工場ビルディング、ホテル、病院、コンビニ、スーパーマーケット、量販店、映画館およびデパート等）に応じて分析することにより、今後エアコンディション設備生産メーカーがエアコンディション設備製品を生産する時の操作制御の設定および管理、保守といった面の参考にすることができる。
【発明を実施するための最良の形態】
【００１６】
以下、本発明に係るネットワーク式遠隔エアコンディション設備モニター管理システムの実施形態を図面と合わせながら詳しく説明する。
【００１７】
図１は、本発明に係るネットワーク式遠隔エアコンディション設備モニター管理システム（符号５０で示す破線の枠の部分）の応用方法を示す。図１に示すように、本発明に係るネットワーク式遠隔エアコンディション設備モニター管理システム５０は、実際の応用においてネットワークシステム１０、例えばインターネット（ｉｎｔｅｒｎｅｔ）、組織内ネットワークシステム（ｉｎｔｒａｎｅｔ）、組織間ネットワークシステム（ｅｘｔｒａｎｅｔ）、有線／無線ＬＡＮまたはバーチャルプライベートネットワークシステムに組み合わせられることにより、一人のあるいは複数の使用者（即ち管理者）は、そのネットワークワークステーション２０を利用しネットワークシステム１０を介して遠隔の一組または複数組のエアコンディション設備（図１では３組のエアコンディション設備３０を模式的に示しているが、数量はそれに限定されるものではない）に対してネットワーク化しかつリアルタイムのモニター管理作業を行う。これらのエアコンディション設備３０は、温度調節手段３１と、湿度調節手段３２と、抽気手段３３と、を備え、温度調節手段３１は冷暖房システムであってもよく、冷気または暖気を生成することにより室内の温度を調節する。湿度調節手段３２は除湿システムであってよく、除湿作用により室内の湿度を調整する。抽気手段３３はファン式抽気システムであってもよく、特にプレクーリング（ｐｒｅｃｏｏｌｉｎｇ）機能を有するファン式抽気システムであってよく、室外の空気を抽気プレクーリングの方法により密閉された室内空間に注入する。
【００１８】
図１に示すように、本発明に係るネットワーク式遠隔エアコンディション設備モニター管理システム５０は、分散型の構造に構築され、少なくとも二組の分散したユニットである（Ａ）サーボ側ユニット１００と、（Ｂ）設備側ユニット２００と、を備え、サーボ側ユニット１００は、一台または複数台のサーバー４０に統合され、その内部構造は図２Ａに示すように少なくとも（Ａ０）遠隔設備通信モジュール１０１と、（Ａ１）制御インタフェースモジュール１１０と、（Ａ２）モニターデータ蓄積モジュール１２０と、を備え、さらに、（Ａ３）定期性操作特性統計分析モジュール１３０を選択的に備えてよい。該設備側ユニット２００は、各々の被制御されたエアコンディション設備（被制御エアコンディション設備もいう）３０に統合され、その内部構造は図２Ｂに示すように少なくとも（Ｂ０）ネットワークリンクモジュール２０１と、（Ｂ１）設備側サーボモジュール２１０と、（Ｂ２）操作状態モニター装置２２１と操作状態制御器２２２とを含む操作状態モニターモジュール２２０と、を備え、その内部構成は、操作状態モニター装置２２１と操作状態制御器２２２とを備えている。具体的な実施においては、サーボ側ユニット１００は完全にソフトウェアプログラムによって実現することができ、このソフトウェアプログラムをサーバー４０にインストールすることができる。該設備側ユニット２００におけるネットワークリンクモジュール２０１、設備側サーボモジュール２１０、操作状態モニターモジュール２２０はいずれもハードウェア装置である。
【００１９】
以下、まず、サーボ側ユニット１００における各構成部材の個別の属性および機能をそれぞれ説明する。
【００２０】
遠隔設備通信モジュール１０１は、サーボ側ユニット１００がネットワークシステム１０を介して遠隔の設備側ユニット２００とデータのやり取りを行えるようにする。即ち、設備側ユニット２００がネットワークシステム１０から伝送されてきた被制御エアコンディション設備３０に関する操作特性値（ｏｐｅｒａｔｉｎｇ  ｃｈａｒａｃｔｅｒｉｓｔｉｃｓ）、例えば各エアコンディション設備３０の現在のオンオフ状態、現在の温度設定値、現在の湿度設定値、現在の送風量、温湿度、二酸化炭素濃度、現在の電力使用状況（負荷電圧、負荷電流および消費電力）を受信することができるようにし、サーボ側ユニット１００からの各制御コマンドをネットワークシステム１０を介して設備側ユニット２００に伝送することができるようにする。
【００２１】
制御インタフェースモジュール１１０は、サーバー４０に接続されたネットワークワークステーション２０のそれぞれに制御インタフェース、例えばウインドウ化された図形インタフェースを提供することにより、ネットワークワークステーション２０の使用者（即ち管理者）に被制御エアコンディション設備操作状態表示機能、コマンド設定機能、エアコン設備始動時間設定機能を提供する。被制御エアコンディション設備操作状態表示機能は、各エアコンディション設備３０の操作状態および関連データ、例えば各エアコンディション設備３０の配置箇所、現在のオンオフ状態、現在の温度設定値および実際の室内温度値、現在の湿度設定値および実際の室内湿度値、現在の送風量および実際の室内二酸化炭素濃度値、電力使用状況（負荷電圧、負荷電流、電力消費量）を表示し、さらに各エアコンディション設備３０に係る規格や管理データ、例えばブランドネーム、型の番号、規格、購買先、購買日、保存期限、設置地点、保管者氏名、保守およびメンテナンス記録等を表示することができる。またコマンド設定機能は、各エアコンディション設備３０に対して一組の使用者が選択または設定できる制御命令セットを提供し、使用者によって選択された制御コマンドをネットワークシステム１０を介して設備側ユニット２００により各エアコンディション設備３０に伝送することができる。この制御命令セットによる制御コマンドは、例えばオンオフ状態の設定、必要とする温度設定値、必要とする湿度設定値、必要とする送風量である。エアコン設備始動スケジュール機能は、管理者が各被制御エアコン設備３０に対して始動時間帯、例えば毎日の７：５０ＡＭ〜１７：００ＰＭに予め設定することにより、この始動時間帯だけ現場にいる使用者が使用または直接自動始動できないようにするものである。
【００２２】
本実施形態において、制御インタフェースモジュール１１０は、さらにシステムの安全管理制御を行い、サーバー４０の各ネットワークワークステーション２０に接続した使用者が、制御インタフェースモジュールによって提供された制御インタフェースに入る権限を持っているかどうかを確認するための使用者身分認証モジュール１１１を備えている。具体的には、使用者身分認証モジュール１１１は、サーバー４０に接続された各ネットワークワークステーション２０の各使用者にアドレス及びパスワード等の身分認証データの入力を要求するとともに、入力されたアドレス及びパスワード等の身分認証データが所定の授権識別データに合致しているかどうかを判別し、使用者が授権認証にパスしたら、制御インタフェースモジュール１１０はサーバー４０に接続された各ネットワークワークステーション２０に制御インタフェースを提供し、上述の操作を行うようにする。使用者が授権認証にパスしなかったら、制御インタフェースモジュール１１０はサーバー４０に接続された各ネットワークワークステーション２０に制御インタフェースを提供することを禁止する。
【００２３】
モニターデータ蓄積モジュール１２０は、各被制御エアコンディション設備３０が実際に作動した時の操作特性及び使用者設定記録に関するデータ、即ちオンオフ状態、温度設定値、湿度設定値、送風量および電力使用状況（負荷電圧、負荷電流および消費電力）の過去の記録を蓄積し、上述の制御インタフェースモジュール１１０を介してネットワークワークステーション２０にこれらの操作特性値を表示することができる。また、モニターデータ蓄積モジュール１２０は、さらに、各被制御エアコンディション設備３０に関する規格および管理データ、例えばブランドネーム、型の番号、規格、購買先、購買日、保存期限、設置地点、保管者氏名、保守およびメンテナンス記録等を蓄積することができる。
【００２４】
定期性操作特性統計分析モジュール１３０は、所定の期間内（例えば３ヶ月を単位とする）において各被制御エアコンディション設備３０の操作特性データを統計し電力使用状況分析リストを作成する。例えば、定期性操作特性統計分析モジュール１３０は、今後エアコンディション設備３０をモニター管理するための参考として、３ヶ月を単位とし各被制御エアコンディション設備３０の総消費電力量を統計し、電子式の分析リストを自動的に作成し、各被制御エアコンディション設備３０の毎日の使用状況（始動時間、温度設定値および電力消費量）および月、シーズンまたは年を単位とする総消費電力統計データを表示する。この後に、エアコンディション設備３０に対してモニター管理産業を行う参考として、管理者は、ネットワークワークステーション２０上で制御インタフェースモジュール１１０を介してこの分析リストを読み取るかプリントアウトすることができる。
【００２５】
以下、設備側ユニット２００における各構成部材の個別の属性および機能をそれぞれ説明する。
【００２６】
ネットワークリンクモジュール２０１は、設備側ユニット２００をネットワークシステム１０にリンクさせ、そのリンク方式は、例えば有線ＡＤＳＬ（Ａｓｙｍｍｅｔｒｉｃ  Ｄｉｇｉｔａｌ  Ｓｕｂｓｃｒｉｂｅｒ  Ｌｉｎｅ、非対称デジタル加入者線）またはＦＴＴＢ（Ｆｉｂｅｒ  Ｔｏ  Ｔｈｅ  Ｂｕｉｌｄｉｎｇ、光ファイバーを企業などのビルまで引くことを指す）といったネットワークリンク構造、または無線（ｗｉｒｅｌｅｓｓ）のネットワークリンク構造を採用することができ、設備側ユニット２００がネットワークシステム１０を介してサーボ側ユニット１００とデータのやり取りを行えるようにする。
【００２７】
設備側サーボモジュール２１０は、ネットワークリンクモジュール２０１にリンクされ、操作状態モニター装置２２１によってモニターされた各操作特性データを収集し、収集された操作特性データをネットワークリンクモジュール２０１によりネットワークシステム１０を介してサーボ側ユニット１００に伝送することができる。さらには、サーボ側ユニット１００がネットワークシステム１０から伝送されてきた制御コマンドを、関連するエアコンディション設備３０に係る操作状態制御器２２２に配送することができる。図１に示す実施形態は、ネットワークリンクモジュール２０１が一組の設備側サーボモジュール２１０にリンクされたことのみを示しているが、リンク可能な設備側サーボモジュール２１０の数量は、ネットワークリンクモジュール２０１の接続ポートの数量に応じて決められ、特に限定されるものではない。さらに、この設備側サーボモジュール２１０は、各エアコンディション設備３０の操作状態に異常が発生しているかどうかをモニターすることができる異常状況警告手段２１１を備え、異常が発生するとすぐ反応し、警告メッセージを発する。この警告メッセージを、ネットワークシステム１０を介してサーボ側ユニット１００に伝送することにより、管理者に通報でき、管理者は異常が発生した被制御設備３０に対して必要な保守作業を行うことができる。この異常状況警告手段２１１の基本作動方法は、例えば制御インタフェースモジュール１１０が制御コマンドをエアコンディション設備３０に発したら、操作状態モニター装置２２２を介してエアコンディション設備３０の操作状態が制御コマンドの要求値あるいは所定の範囲内に達しているかどうかをモニターする。達していない場合は、警告メッセージを発する。例えば、管理者が制御インタフェースモジュール１１０を介して所要の温度を摂氏２５℃に設定したとする。それに係る制御コマンドがエアコンディション設備３０に送られるとすぐ、それに属する操作状態モニター装置２２１がエアコンディション設備３０の温度調節手段３１によって提供された冷房温度が摂氏２５℃であるかどうかを持続的にモニターすることができる。否である場合（例えば摂氏２８℃の状態が半時間も続いた場合）、異常状況警告メカニズム２１１が、警告メッセージをネットワークワークステーション２０に発し、管理者がエアコンディション設備３０の温度調節手段３１に対して保守作業を行えるようにする。
【００２８】
操作状態モニターモジュール２２０における操作状態モニター装置２２１は、各エアコンディション設備３０が実際に作動している時の操作状態をモニターし、その操作特性値を得ると、モニターされた各操作特性値を設備側サーボモジュール２１０に伝送し返し、これにより、設備側サーボモジュール２１０がそれをネットワークシステム１０を介してサーボ側ユニット１００に伝送するようにする。具体的な実施形態において、この操作状態モニター装置２２１は、例えばスイッチモニター手段２２１ａ、電力使用量モニター手段２２１ｂ、および温度検知手段２２１ｃ、湿度検知手段２２１ｄ、二酸化炭素濃度検知手段２２１ｅを備え、スイッチモニター手段２２１ａは、エアコンディション設備３０の電源スイッチがオンになっているかどうかをモニターし、電力使用量モニター手段２２１ｂは、エアコンディション設備３０の負荷電圧、負荷電流および消費電力をモニターし、温度検知手段２２１ｃは、エアコンディション設備３０の所在箇所の室内温度を検知し、湿度検知手段２２１ｄは、エアコンディション設備３０の所在箇所の室内湿度を検知し、二酸化炭素濃度検知手段２２１ｅは、エアコンディション設備３０の所在箇所の室内二酸化炭素濃度を検知する。
【００２９】
操作状態モニターモジュール２２０における操作状態制御器２２２は、サーボ側ユニット１００がネットワークシステム１０を介して伝送した各制御コマンドに従って各被制御エアコンディション設備３０を制御することにより、所要の操作状態を実現することができる。例えば、エアコンディション設備３０が制御コマンドによって調整をされる操作状態は、スイッチ（ＯＮ／ＯＦＦ）、温度、湿度および送風量であってもよい。
【００３０】
以下、本発明に係るネットワーク式遠隔エアコンディション設備モニター管理システム５０が実際に応用されている場合の全体操作方式を説明する。
【００３１】
実際に操作する際、管理者は、ネットワークワークステーション２０をネットワークシステム１０を介してサーバー４０に接続するだけで、サーボ側ユニット１００を使用し遠隔のエアコンディション設備３０に対してモニター管理作業を行うことができる。例えば、管理者は、制御インタフェースモジュール１１０を介して被制御エアコンディション設備３０の電源をオン又はオフにしたり、その温度、湿度および送風量を設定することができる。制御インタフェースモジュール１１０は、管理者の制御指示に反応して、それに対応する制御コマンドを発し、遠隔設備通信モジュール１０１がこれらの制御コマンドをネットワークシステム１０を介して設備側ユニット２００に伝送するようにすることができる。
【００３２】
設備側ユニット２００におけるネットワークリンクモジュール２０１は、サーボ側ユニット１００がネットワークシステム１０を介して伝送した制御コマンドを受信すると、その制御コマンドをすぐ設備側サーボモジュール２１０に転送する。これにより、設備側サーボモジュール２１０は制御コマンドの内容を解読して対応する制御信号を生成し、この制御信号を対応するエアコンディション設備３０に属する操作状態制御器２２２にサーボすることで、操作状態制御器２２２は、それに属するエアコンディション設備３０を応答的に制御し、これにより管理者によって要求された操作状態を実現することができる。
【００３３】
被制御エアコンディション設備３０がオンにされると、操作状態モニター装置２２１は、各被制御エアコンディション設備３０の操作状態を持続的にモニターすることによりその操作特性値を得て、モニターされた各操作特性値を設備側サーボモジュール２１０に伝送し返し、設備側サーボモジュール２１０がネットワークシステム１０を介してサーボ側ユニット１００に伝送するようにできる。エアコンディション設備３０がモニターしうる操作特性は、例えばオンオフ状態（ＯＮ／ＯＦＦ）、電力使用状況（負荷電圧、負荷電流、電力消費量）、温度、湿度、室内二酸化炭素濃度および送風量である。
【００３４】
サーボ側ユニット１００はこれらの操作特性データを受信すると、それをすぐモニターデータ蓄積モジュール１２０に蓄積する。この場合、管理者は、制御インタフェースモジュール１１０を介してモニターデータ蓄積モジュール１２０に蓄積された操作特性データを読み取ることにより、各被制御エアコンディション設備３０の現在の操作状態を知ることができる。
【００３５】
また、本発明に係るネットワーク式遠隔照明設備モニター管理システム５０は、さらに、エアコンディション設備３０の所在箇所の室内環境に対して空気品質モニター機能を提供することができる。具体的には、図３に示す二酸化炭素濃度検知手段２２１ｅを利用して室内環境の二酸化炭素濃度を検知し、検知されたデータを設備側サーボモジュール２１０に伝送し返すことにより、設備側サーボモジュール２１０に現在の二酸化炭素濃度が所定の閾値より高いかどうかを比較させ、所定の閾値より高い場合、抽気制御信号を操作状態制御器２２２に自動的に抽出することにより、操作状態制御器２２２がエアコンディション設備３０における抽気手段３３を制御することで、プレクーリングエアコンボックス（「pre-cooling Air Handling Unit）を始動させ、抽気速度を上げる。これにより抽気量を増加させ室外の空気を室内に導入すると同時に、この状況をネットワークシステム１０を介してサーボ側ユニット１００に伝送し返し、管理者がこの状況を知るようにする。抽気速度が増した後も二酸化炭素濃度が下がらない場合、管理者は現場の作業員に知らせ、例えば窓を開けるなどの適切な処理を行う。
【００３６】
エアコンディション設備３０のいずれか一組に異常が発生した場合、設備側サーボモジュール２１０は、この異常作動状況を検知し、警告メッセージをサーボ側ユニット１００に伝送し返すことにより、管理者は異常が発生したエアコンディション設備３０に対して必要な保守作業を行うことができる。この警告機能の内容を具体的に見ると、操作状態モニター装置２２１を利用して実際に作動している時の操作特性値をモニターし、さらに異常状況警告手段２１１を介して現在の操作特性が管理者によって設定された操作特性値に合致しているか、あるいは設定の範囲内にあるかを比較するという機能を果たす。否である場合はすぐに、警告メッセージを発する。例えば、管理者が、制御インタフェースモジュール１１０を介して所要の温度を２５℃に設定したとする。それに係る制御コマンドがエアコンディション設備３０に発されるとすぐ、それに属する操作状態モニター装置２２１がエアコンディション設備３０の温度調節手段３１によって提供された冷房温度が摂氏２５℃であるかどうかを持続的にモニターする。否である場合（例えば摂氏２８℃の状態が半時間も続いた場合）、異常状況警告メカニズム２１１は、警告メッセージをネットワークワークステーション２０に発し、管理者がエアコンディション設備３０の温度調節手段３１に対して保守作業を行う。
【００３７】
被制御エアコンディション設備３０が作動を開始した後の所定の期間内（例えば３ヶ月を単位とする）において、サーボ側ユニット１００における定期性操作特性統計分析モジュール１３０は、各被制御エアコンディション設備３０の操作特性データを自動的に統計し、電子式の電力使用状況分析リストを作成し、被制御エアコンディション設備３０の毎日の使用状況（始動時間、温度設定値および電力消費量）および月、シーズンまたは年を単位とする総消費電力統計データを表示する。管理者は、ネットワークワークステーション２０上で制御インタフェースモジュール１１０を介してこの分析リストを読み取るかプリントアウトすることができ、これをもって被制御エアコンディション設備３０のモニター管理作業を行う際の今後の参考にすることが可能である。実際の応用で、管理者は、この電力使用状況分析リストを参考にしてエアコンディション設備３０に対して最適化された始動スケジュール機能を行うことができる。例えば、午前８時が出勤時間であれば、社員は通常オフィスに入ったら、すぐにエアコン設備を極めて低い温度設定値に設定することで温度を直ちに低下させる効果が得られる。しかし８時は通常電力使用のピーク時間帯で、電力料金が高いため、エアコン設備を高い運転負荷の状態下で始動するのは決して経済的ではない。管理者は、本発明に係る始動スケジュール機能を利用してエアコンディション設備３０が、例えば７時３０分に自動的に始動するようにできる。このように、高電力料金の時間帯を避けられるのみならず、社員が８時以降にオフィスに入った際、温度が低下した後の室内温度を享受できる。
【００３８】
要するに、本発明に係るネットワーク式遠隔エアコンディション設備モニター管理システムには、以下の利点がある。（１）被制御エアコンディション設備に対してネットワーク化したリアルタイムモニター管理機能を提供できるとともに、視覚化した使用者制御インタフェースを介して、多数の異なるユーザで構成される管理者各々が、遠隔においてネットワークワークステーションからエアコンディション設備のそれぞれの作動状況をリアルタイムに把握し、必要な作動状態を設定し、作動効果を調整することにより、効率の悪い作動を減らし、最適な作動効能モードを確立することを可能にする。（２）被制御エアコンディション設備に対して効率的な電力消費量の管理を提供することにより、エネルギーおよび作動コストの節約が図れる。（３）設備の利用率を維持するために、リアルタイムの異常警告を提供する。これにより、管理者は異常が発生したエアコンディション設備に対して、保守作業を即行うことができる。つまり本発明は、従来技術よりさらに進歩し実用的な特性を備えている。（４）使用者身分認証手段を介して、権利を授与された使用者に限り遠隔のモニター管理を行うことができ、集中管理という目的がこれで達成できる。（５）モニターデータ蓄積モジュールに蓄積されたエアコンディション設備操作特性および作動状態の過去のデータは、使用者の類型（例えばビジネス・ビルディング、工場ビルディング、ホテル、病院、コンビニ、スーパーマーケット、量販店、映画館およびデパート等）に応じて分析することにより、今後、エアコンディション設備生産メーカーがエアコンディション設備製品を生産する時の操作制御の設定および管理、保守といった面の参考にすることができる。
【００３９】
上記に示したこれらの実施の形態は、本発明を例示するものであり、本発明はこれらによって何ら限定されるものではない。本発明に係る実質的な技術内容は、下記の特許請求の範囲に広義的に定義される。本発明はこの技術分野に精通したものが特許請求の範囲を逸脱しない範囲で色々な修飾や変更が可能であり、そうした修飾や変更は本発明の技術範囲に含まれるるものである。
【図面の簡単な説明】
【００４０】
【図１】本発明に係るネットワーク式遠隔照明設備モニター管理システムの応用方法を模式的に示したブロック図である。
【図２Ａ】本発明に係るネットワーク式遠隔照明設備モニター管理システムにおけるサーボ側ユニットの内部基本構造を模式的に示したブロック図である。
【図２Ｂ】本発明に係るネットワーク式遠隔照明設備モニター管理システムにおける設備側ユニットの内部基本構造を模式的に示したブロック図である。
【符号の説明】
【００４１】
１０  ネットワークシステム
２０  ネットワークワークステーション
３０  エアコンディション設備（被制御設備）
３１  温度調節手段
３２  湿度調節手段
３３  抽気手段
４０  サーバー
５０  本発明に係るネットワーク式遠隔エアコンディション設備モニター管理システム
１００  サーボ側ユニット
１０１  遠隔設備通信モジュール
１１０  制御インタフェースモジュール
１１１  使用者身分認証モジュール
１２０  モニターデータ蓄積モジュール
１３０  定期性操作特性統計分析モジュール
２００  設備側ユニット
２０１  ネットワークリンクモジュール
２１０  設備側サーボモジュール
２１１  異常状況警告手段
２２１  操作状態モニター装置
２２１ａ  オンオフモニター手段
２２１ｂ  電力使用量モニター手段
２２１ｃ  温度検知手段
２２１ｄ  湿度検知手段
２２１ｅ  二酸化炭素濃度検知手段
２２２  操作状態制御器
【図１】
2009014333.tif 000003
【図２Ａ】
2009014333.tif 000004
【図２Ｂ】
2009014333.tif 000005